(57)【要約】【課題】外部電源が切られた後に既存のコンデンサを利用してＬＥＤを一定時間点灯させる。【解決手段】点灯回路１３は、ＡＣ電源１７がオンの場合、ＬＥＤモジュール３５と並列に接続される電解コンデンサ３３を充電する。点灯回路１３は、ＡＣ電源１７がオフになった場合、電解コンデンサ３３に充電した電流をＬＥＤモジュール３５に出力する。遅延制御装置３６は、ＡＣ電源検出回路１４によりＡＣ電源１７がオフになったことが検出された場合、点灯回路１３から出力される電流を、ＬＥＤモジュール３５に実装されたＬＥＤに流れるように制御する。【選択図】図１
2015165508.tif 000002
【特許請求の範囲】
【請求項１】
光を発するＬＥＤと、
交流電源である外部電源からの入力電圧を整流及び平滑する回路と、
前記ＬＥＤと並列に接続されるコンデンサを有する電源部であり、前記外部電源から前記回路へ給電された場合、前記回路により整流及び平滑された前記外部電源からの入力電圧によって前記コンデンサを充電し、前記外部電源から前記回路への給電が停止した場合、前記コンデンサに充電した電流を前記ＬＥＤに出力する電源部と、
前記外部電源と前記回路との接続部分に接続され、前記外部電源から前記回路への給電の状態を監視する給電監視部と、
前記給電監視部により前記外部電源から前記回路への給電が停止したことが検出された場合、前記電源部から出力される電流を、前記ＬＥＤに流れるように制御する制御部と
を備える照明装置。
【請求項２】
前記ＬＥＤは、並列に接続された複数のＬＥＤ群であって、各ＬＥＤ群が、直列に接続された２つ以上のＬＥＤで構成されている複数のＬＥＤ群であり、
前記制御部は、前記給電監視部により前記外部電源からの給電が停止したことが検出された場合、前記複数のＬＥＤ群のうち、一部のＬＥＤ群を開放させる請求項１に記載の照明装置。
【請求項３】
前記制御部は、前記一部のＬＥＤ群と直列に接続されたトランジスタを有し、前記給電監視部により前記外部電源からの給電が停止したことが検出された場合、前記トランジスタを能動領域で一定時間動作させた後に前記トランジスタをオフにする請求項２に記載の照明装置。
【請求項４】
前記一部のＬＥＤ群は、少なくとも２つのＬＥＤ群であり、
前記制御部は、前記給電監視部により前記外部電源からの給電が停止したことが検出された場合、前記少なくとも２つのＬＥＤ群を一定順序で開放させていく請求項２又は３に記載の照明装置。
【請求項５】
前記一部のＬＥＤ群は、前記一部のＬＥＤ群以外のＬＥＤ群より色温度が高い光を発する請求項２から４のいずれか１項に記載の照明装置。
【発明の詳細な説明】
【技術分野】
【０００１】
本発明は、照明装置に関するものである。本発明は、特に、ＬＥＤ照明装置に関するものである。
【背景技術】
【０００２】
消灯することで、部屋が真っ暗になり使用者の安全を確保できないため、リモコンで操作可能な照明装置を、リモコンにより消灯させた場合に限り所定時間点灯させる遅延消灯の技術がある。一方、照明装置を壁スイッチにより消灯させた場合や停電が発生した場合は、突然真っ暗になり使用者の安全が確保されず危険な状態になる恐れがある。
【０００３】
このため、電源遮断時においても一定時間は照明装置の点灯を継続する技術がある（例えば、特許文献１参照）。
【先行技術文献】
【特許文献】
【０００４】
【特許文献１】特開２００９−２４５６３８号公報
【特許文献２】特開２０１０−０５６３１４号公報
【特許文献３】特開２００９−２０５８５０号公報
【特許文献４】特開２００８−１２６９５８号公報
【特許文献５】国際公開第２０１１／０２４１０２号
【発明の概要】
【発明が解決しようとする課題】
【０００５】
特許文献１では、補助電源部を用いており、商用電源が供給されている間に、負荷であるＬＥＤとは別に補助電源部を充電するように照明装置が構成されている。
【０００６】
このため、ある期間（補助電源部のコンデンサが充電されるまで）は、負荷であるＬＥＤへの電力供給以外に補助電源部への電力供給が必要となるという課題があった。また、補助電源部には、外部電源（ＡＣ（交流）電源等）が途絶えた後にＬＥＤを遅延消灯させるために、蓄えられた電力を可変抵抗やＰＷＭ（パルス幅変調）制御により、徐々に消費する工夫がされているが、そのための専用回路が大きくなり、照明装置が高価になるという課題があった。
【０００７】
本発明は、例えば、外部電源が切られた後に既存のコンデンサを利用してＬＥＤを一定時間点灯させることを目的とする。
【課題を解決するための手段】
【０００８】
本発明の一の態様に係る照明装置は、
光を発するＬＥＤと、
交流電源である外部電源からの入力電圧を整流及び平滑する回路と、
前記ＬＥＤと並列に接続されるコンデンサを有する電源部であり、前記外部電源から前記回路へ給電された場合、前記回路により整流及び平滑された前記外部電源からの入力電圧によって前記コンデンサを充電し、前記外部電源から前記回路への給電が停止した場合、前記コンデンサに充電した電流を前記ＬＥＤに出力する電源部と、
前記外部電源と前記回路との接続部分に接続され、前記外部電源から前記回路への給電の状態を監視する給電監視部と、
前記給電監視部により前記外部電源から前記回路への給電が停止したことが検出された場合、前記電源部から出力される電流を、前記ＬＥＤに流れるように制御する制御部とを備える。
【発明の効果】
【０００９】
本発明の一の態様によれば、外部電源が切られた後に既存のコンデンサを利用してＬＥＤを一定時間点灯させることが可能となる。
【図面の簡単な説明】
【００１０】
【図１】実施の形態１に係るＬＥＤ照明装置の構成を示す回路図。
【図２】実施の形態２に係るＬＥＤ照明装置の構成を示す回路図。
【発明を実施するための形態】
【００１１】
以下、本発明の実施の形態について、図を用いて説明する。
【００１２】
実施の形態１．
図１は、本実施の形態に係るＬＥＤ照明装置１０（照明装置の例）の構成を示す回路図である。
【００１３】
図１において、ＬＥＤ照明装置１０は、光を発する複数のＬＥＤが実装されるＬＥＤモジュール３５と、このＬＥＤモジュール３５が接続されるＬＥＤ点灯装置１１とを備える。
【００１４】
ＬＥＤ点灯装置１１は、ＡＣ電源１７（外部電源の例）のオン／オフの状態を検出するＡＣ電源検出回路１４（給電監視部の例）と、入力電流の力率を改善する力率改善回路１２と、ＬＥＤを点灯させるために定電流もしくは定電圧をＬＥＤモジュール３５に出力する点灯回路１３（電源部の例）と、力率改善回路１２を制御する制御回路２２と、点灯回路１３を制御する制御回路２９と、遅延制御装置３６（制御部の例）とを備える。
【００１５】
ＡＣ電源検出回路１４は、ＡＣ電源１７からの給電の状態を監視する。ＡＣ電源検出回路１４は、ＡＣ電源１７からの給電が停止したことを検出すると、ＡＣ電源１７からの給電が停止したこと（ＡＣ電源１７がオフであること）を示す信号を遅延制御装置３６に出力する。
【００１６】
力率改善回路１２は、ＡＣ電源１７からの入力電圧を全波整流して脈流電圧を生成するダイオードブリッジ１８と、その脈流電圧を平滑するコンデンサ１９と、コンデンサ１９の電圧を昇圧するインダクタ２０及びＭＯＳＦＥＴ２１と、このインダクタ２０及びＭＯＳＦＥＴ２１に接続されるダイオード２４と、このダイオード２４に接続される電解コンデンサ２７と、この電解コンデンサ２７に並列に接続される、直列接続された抵抗２５，２６と、この抵抗２５，２６の中点に接続され、制御回路２２にフィードバック信号を出力するフィードバック部２３とを備える。
【００１７】
ＭＯＳＦＥＴ２１は、制御回路２２によって制御されて、オン／オフのスイッチング動作をする。ＭＯＳＦＥＴ２１がオンのときは、インダクタ２０に電流が流れてエネルギーが蓄えられる。ＭＯＳＦＥＴ２１がオフになると、インダクタ２０に蓄えられたエネルギーがダイオード２４を介して電解コンデンサ２７に放出され、電解コンデンサ２７の電圧がコンデンサ１９よりも高い電圧に昇圧される。電解コンデンサ２７に発生した電圧は抵抗２５と抵抗２６によって分圧され、フィードバック部２３を介して、制御回路２２に入力される。この電圧を基に制御回路２２は電解コンデンサ２７の電圧が一定（約４００Ｖ）となるようにＭＯＳＦＥＴ２１のオン／オフを制御している。
【００１８】
点灯回路１３は、電解コンデンサ２７に並列に接続されるＭＯＳＦＥＴ２８と、このＭＯＳＦＥＴ２８に直列に接続されるダイオード３１と、このダイオード３１に並列に接続されるインダクタ３２と、このインダクタ３２に直列接続される電解コンデンサ３３（コンデンサの例）と、この電解コンデンサ３３に直列接続される抵抗３４と、この抵抗３４と電解コンデンサ３３の中点に接続され、制御回路２９にフィードバック信号を出力するフィードバック部３０とを備える。
【００１９】
ＭＯＳＦＥＴ２８は、制御回路２９によってオン／オフ制御されている。ＭＯＳＦＥＴ２８がオンになると、インダクタ３２、電解コンデンサ３３、抵抗３４の経路で電流が流れて電解コンデンサ３３が充電される。このとき、インダクタ３２にエネルギーが蓄えられる。ＭＯＳＦＥＴ２８がオフになると、インダクタ３２に蓄えられたエネルギーが放出され、電解コンデンサ３３、抵抗３４、ダイオード３１の順に電流が流れ、さらに電解コンデンサ３３が充電される。充電された電解コンデンサ３３の電圧がＬＥＤモジュール３５の順方向電圧を超えるとＬＥＤモジュール３５に電流が流れる。抵抗３４に電流が流れると抵抗３４に電圧が発生し、フィードバック部３０を介して、制御回路２９に入力される。この電圧を基に制御回路２９はＬＥＤに流れる電流が一定となるようにＭＯＳＦＥＴ２８をオン／オフ制御している。
【００２０】
上記のように、点灯回路１３は、ＬＥＤモジュール３５に実装された複数のＬＥＤと並列に接続される電解コンデンサ３３を有する。点灯回路１３は、ＡＣ電源１７から給電された場合（ＡＣ電源１７がオンの場合）、電解コンデンサ３３を充電するとともに、電解コンデンサ３３により平滑される電流をＬＥＤモジュール３５に実装された複数のＬＥＤに出力する。点灯回路１３は、ＡＣ電源１７からの給電が停止した場合（ＡＣ電源１７がオフになった場合）、電解コンデンサ３３に充電した電流をＬＥＤモジュール３５に実装された複数のＬＥＤに出力した後に、ＬＥＤモジュール３５への電流の出力を停止する。
【００２１】
ＬＥＤモジュール３５は、直列接続された５個のＬＥＤからなり、電解コンデンサ３３に並列に接続される。
【００２２】
遅延制御装置３６は、直列接続された５個のＬＥＤのうち、低電位側の３個のＬＥＤに対して並列に接続されるトランジスタ３７と、ＡＣ電源検出回路１４に接続され、トランジスタ３７のオン／オフを制御する制御回路３８とを備える。
【００２３】
制御回路３８は、ＡＣ電源検出回路１４よりＡＣ電源１７が遮断されたことを通知されると、トランジスタ３７をオンに制御して、ＬＥＤモジュール３５の一部のＬＥＤ（本実施の形態では、直列接続された５個のＬＥＤのうち、低電位側の３個のＬＥＤ）を短絡させる。
【００２４】
上記のように、遅延制御装置３６は、ＡＣ電源検出回路１４によりＡＣ電源１７からの給電が停止したことを示す信号が入力された場合、点灯回路１３から出力される電流を、ＬＥＤモジュール３５に実装された複数のＬＥＤ（５個のＬＥＤ）のうち、一部のＬＥＤ（２個のＬＥＤ）に流れるように制御する。これにより、上記一部のＬＥＤ（２個のＬＥＤ）は、ＡＣ電源１７の遮断後、暫く点灯してから消灯する。即ち、上記一部のＬＥＤ（２個のＬＥＤ）は遅延消灯する。一方、上記一部のＬＥＤ以外のＬＥＤ（３個のＬＥＤ）（少なくとも２つのＬＥＤの例）は、ＡＣ電源１７の遮断後、すぐに消灯する。即ち、上記一部のＬＥＤ以外のＬＥＤ（３個のＬＥＤ）は即時消灯する。
【００２５】
具体的には、遅延制御装置３６は、ＡＣ電源検出回路１４によりＡＣ電源１７からの給電が停止したことを示す信号が入力された場合、直列に接続された２つ以上のＬＥＤ（５個のＬＥＤ）のうち、即時消灯させるＬＥＤ（３個のＬＥＤ）を短絡させる。そのために、本実施の形態では、遅延制御装置３６が、即時消灯させるＬＥＤ（３個のＬＥＤ）と並列に接続されたトランジスタ３７を有する。遅延制御装置３６は、ＡＣ電源検出回路１４によりＡＣ電源１７からの給電が停止したことを示す信号が入力された場合、トランジスタ３７を能動領域で一定時間動作させた後にトランジスタ３７をオンにする。これにより、即時消灯させるＬＥＤ（３個のＬＥＤ）を徐々に暗くしてから消灯させることができる。
【００２６】
ＬＥＤモジュール３５に実装された複数のＬＥＤ（５個のＬＥＤ）としては、全て色温度が同じ光を発するものを用いてもよいが、色温度が異なる光を発するものを用いてもよい。例えば、遅延消灯させるＬＥＤ（２個のＬＥＤ）に、即時消灯させるＬＥＤ（３個のＬＥＤ）より色温度が低い光を発するものを用いてもよい。この場合、電源遮断時においても一定時間は、ＬＥＤ照明装置１０が設置された部屋等を、全てのＬＥＤに色温度が同じ光を発するものを用いた場合より明るく保つことができる。よって、より確実に使用者の安全を確保できる。
【００２７】
なお、本実施の形態では、ＬＥＤモジュール３５が直列接続された５個のＬＥＤで構成されているが、ＬＥＤモジュール３５は、４個以下（ただし、２個以上）又は６個以上の直列接続されたＬＥＤで構成されていてもよい。また、本実施の形態では、ＡＣ電源１７が遮断された場合に、５個のＬＥＤのうち、３個のＬＥＤを短絡させるが、２個以下又は４個のＬＥＤを短絡させてもよい。
【００２８】
次に、本実施の形態におけるＬＥＤ照明装置１０の動作について説明する。
【００２９】
ＡＣ電源１７がオフになると、ＡＣ電源検出回路１４はＡＣ電源１７のオフ状態を検出し、遅延制御装置３６に信号を出力する。遅延制御装置３６内の制御回路３８はＡＣ電源検出回路１４からの信号を読み取り、トランジスタ３７に信号を出力する。トランジスタ３７はオフ（オープン）から能動的に、徐々にオンになる（即ち、可変抵抗として動作する）。つまり、制御回路３８はトランジスタ３７を能動領域で制御する。
【００３０】
本実施の形態では、ＬＥＤモジュール３５に実装された５個のＬＥＤのうち、低電位側の３個のＬＥＤが、ＡＣ電源１７の遮断とほぼ同時にトランジスタ３７によってショートされ、残りの２個のＬＥＤのみが点灯する。
【００３１】
電解コンデンサ３３に対する負荷が２／５になったことによって、電解コンデンサ３３の充電エネルギーの消費が抑えられ、ＡＣ電源１７の遮断後も上記２個のＬＥＤが一定時間点灯し続ける（即ち、遅延消灯する）。
【００３２】
このように、本実施の形態では、ＡＣ電源１７が切られたことを検出すると、点灯させるＬＥＤの数を（例えば、１／２や１／３に）減らすことで、特別な電源や電源側の制御がなくともＬＥＤを所定の時間点灯させることができる。つまり、本実施の形態によれば、ＡＣ電源１７の遮断時に負荷であるＬＥＤの消費電力を減らす工夫として、ＬＥＤの数を制限することで、既存の電源に含まれる電解コンデンサ３３で所定の時間ＬＥＤを点灯させることができる。また、これにより、ＡＣ電源１７の遮断時に電解コンデンサ３３の電荷を使い切ることができるため、その後の感電等のおそれがなくなり、安全性が向上する。
【００３３】
以上説明したように、本実施の形態では、ＬＥＤ照明装置１０が、複数のＬＥＤを点灯させるＬＥＤ点灯装置１１と、複数のＬＥＤと並列に接続され、脈流を整流する電解コンデンサ３３と、ＡＣ電源１７を検出するＡＣ電源検出回路１４と、ＬＥＤ点灯装置１１に供給されるＡＣ電源１７が遮断されたとき、電解コンデンサ３３によって所定期間、ＬＥＤを発光させる遅延制御装置３６とを備える。このため、本実施の形態によれば、ＡＣ電源１７が切られた後に既存の電解コンデンサ３３を利用して複数のＬＥＤの一部を一定時間点灯させることが可能となる。
【００３４】
実施の形態２．
本実施の形態について、主に実施の形態１との差異を説明する。
【００３５】
図２は、本実施の形態に係るＬＥＤ照明装置１０の構成を示す回路図である。
【００３６】
図２において、ＬＥＤモジュール３５は、並列に接続された３個のＬＥＤ群３５ａ〜３５ｃからなる。各ＬＥＤ群は、直列に接続された５個のＬＥＤ（２つ以上のＬＥＤの例）で構成されている。
【００３７】
遅延制御装置３６は、ＬＥＤモジュール３５の３個のＬＥＤ群３５ａ〜３５ｃのうち、２個のＬＥＤ群３５ａ，３５ｂのカソードとＧＮＤ（アース）との間にそれぞれ接続されたトランジスタ４０，４１を有する。なお、トランジスタ４０，４１が接続されていないＬＥＤ群３５ｃには補償用ダイオード３９が接続されている。
【００３８】
その他の基本的な回路構成は実施の形態１と同様である。
【００３９】
遅延制御装置３６は、ＡＣ電源検出回路１４によりＡＣ電源１７からの給電が停止したことを示す信号が入力された場合、点灯回路１３から出力される電流を、ＬＥＤモジュール３５に実装された複数のＬＥＤ群（３個のＬＥＤ群３５ａ〜３５ｃ）のうち、一部のＬＥＤ群（２個のＬＥＤ群３５ａ，３５ｂ）以外のＬＥＤ群（１個のＬＥＤ群３５ｃ）に流れるように制御する。これにより、上記一部のＬＥＤ群（２個のＬＥＤ群３５ａ，３５ｂ）（少なくとも２つのＬＥＤ群の例）は、ＡＣ電源１７の遮断後、すぐに消灯する。即ち、上記一部のＬＥＤ群（２個のＬＥＤ群３５ａ，３５ｂ）は即時消灯する。一方、上記一部のＬＥＤ群以外のＬＥＤ群（１個のＬＥＤ群３５ｃ）は、ＡＣ電源１７の遮断後、暫く点灯してから消灯する。即ち、上記一部のＬＥＤ群以外のＬＥＤ群（１個のＬＥＤ群３５ｃ）は遅延消灯する。
【００４０】
具体的には、遅延制御装置３６は、ＡＣ電源検出回路１４によりＡＣ電源１７からの給電が停止したことを示す信号が入力された場合、ＬＥＤモジュール３５に実装された複数のＬＥＤ群（３個のＬＥＤ群３５ａ〜３５ｃ）のうち、即時消灯させるＬＥＤ群（２個のＬＥＤ群３５ａ，３５ｂ）を開放させる。そのために、本実施の形態では、遅延制御装置３６が、即時消灯させるＬＥＤ群（２個のＬＥＤ群３５ａ，３５ｂ）と直列に接続されたトランジスタ４０，４１を有する。遅延制御装置３６は、ＡＣ電源検出回路１４によりＡＣ電源１７からの給電が停止したことを示す信号が入力された場合、トランジスタ４０，４１を能動領域で一定時間動作させた後にトランジスタ４０，４１をオフにする。これにより、即時消灯させるＬＥＤ群（２個のＬＥＤ群３５ａ，３５ｂ）を徐々に暗くしてから消灯させることができる。
【００４１】
遅延制御装置３６は、ＡＣ電源検出回路１４によりＡＣ電源１７からの給電が停止したことを示す信号が入力された場合、即時消灯させるＬＥＤ群（２個のＬＥＤ群３５ａ，３５ｂ）を全て同時に開放させてもよいが、異なるタイミングで開放させてもよい。例えば、遅延制御装置３６は、即時消灯させるＬＥＤ群（２個のＬＥＤ群３５ａ，３５ｂ）を一定順序で開放させていってもよい。この場合、即時消灯させるＬＥＤ群（２個のＬＥＤ群３５ａ，３５ｂ）を１つずつ順番に消灯させることができる。このとき、電解コンデンサ３３の放電速度に合わせてＬＥＤ群を１つずつ順番に消灯させてもよい。即ち、遅延制御装置３６は、電解コンデンサ３３から１つのＬＥＤ群の順方向電圧が放電される度に、１つのＬＥＤ群（ＬＥＤ群３５ａ，３５ｂのいずれか）に接続されたトランジスタ（トランジスタ４０，４１のいずれか）をオフに制御して、当該１つのＬＥＤ群を開放させてもよい。このとき、例えば、遅延制御装置３６に内蔵されたマイコン等（制御回路３８）が、ＡＣ電源検出回路１４によりＡＣ電源１７からの給電が停止したことを示す信号が入力された時点からの経過時間を計測する。そして、予めメモリ等に記憶された電解コンデンサ３３の放電時間（１つのＬＥＤ群の順方向電圧が放電される時間）が経過したときにトランジスタをオフにする。電解コンデンサ３３の放電時間は、ＬＥＤ群ごとに異なっていてもよく、その場合はＬＥＤ群ごとの放電時間がメモリ等に記憶される。
【００４２】
ＬＥＤモジュール３５に実装された複数のＬＥＤ群（３個のＬＥＤ群３５ａ〜３５ｃ）としては、全て色温度が同じ光を発するものを用いてもよいが、色温度が異なる光を発するものを用いてもよい。例えば、遅延消灯させるＬＥＤ群（１個のＬＥＤ群３５ｃ）に、即時消灯させるＬＥＤ群（２個のＬＥＤ群３５ａ，３５ｂ）より色温度が低い光を発するものを用いてもよい。この場合、電源遮断時においても一定時間は、ＬＥＤ照明装置１０が設置された部屋等を、全てのＬＥＤ群に色温度が同じ光を発するものを用いた場合より明るく保つことができる。よって、より確実に使用者の安全を確保できる。
【００４３】
なお、本実施の形態では、ＬＥＤモジュール３５が並列接続された３個のＬＥＤ群３５ａ〜３５ｃで構成されているが、ＬＥＤモジュール３５は、２個又は４個以上の並列接続されたＬＥＤ群で構成されていてもよい。また、本実施の形態では、ＡＣ電源１７が遮断された場合に、３個のＬＥＤ群３５ａ〜３５ｃのうち、２個のＬＥＤ群３５ａ，３５ｂを開放させるが、１個のＬＥＤ群のみを開放させてもよい。
【００４４】
次に、本実施の形態におけるＬＥＤ照明装置１０の動作について説明する。
【００４５】
ＡＣ電源１７がオフになると、ＡＣ電源検出回路１４はＡＣ電源１７のオフ状態を検出し、遅延制御装置３６に信号を出力する。遅延制御装置３６内の制御回路３８はＡＣ電源検出回路１４からの信号を読み取り、トランジスタ４０，４１に信号を出力する。トランジスタ４０，４１はオン（ショート）から能動的に、徐々にオフになる（即ち、可変抵抗として動作する）。つまり、制御回路３８はトランジスタ４０，４１を能動領域で制御する。
【００４６】
本実施の形態では、ＬＥＤモジュール３５に実装された３個のＬＥＤ群３５ａ〜３５ｃのうち、２個のＬＥＤ群３５ａ，３５ｂが、ＡＣ電源１７の遮断とほぼ同時にトランジスタ４０，４１によって切り離されて消灯し、補償用ダイオード３９が接続されるＬＥＤ群３５ｃが遅延消灯する。
【００４７】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００４８】
１０  ＬＥＤ照明装置、１１  ＬＥＤ点灯装置、１２  力率改善回路、１３  点灯回路、１４  ＡＣ電源検出回路、１７  ＡＣ電源、１８  ダイオードブリッジ、１９  コンデンサ、２０，３２  インダクタ、２１，２８  ＭＯＳＦＥＴ、２２，２９，３８  制御回路、２３，３０  フィードバック部、２４，３１  ダイオード、２５，２６，３４  抵抗、２７，３３  電解コンデンサ、３５  ＬＥＤモジュール、３５ａ，３５ｂ，３５ｃ  ＬＥＤ群、３６  遅延制御装置、３７，４０，４１  トランジスタ、３９  補償用ダイオード。
【図１】
2015165508.tif 000003
【図２】
2015165508.tif 000004